(57)【要約】【課題】複数のポンプの設置レイアウトが行い易くて、その設置面積が小さくてすむバルブ一体型ポンプを提供すること。【解決手段】立軸ポンプの吐出ケーシングを上方向に向かって円周方向外側に開く形状のカサ型吐出ケーシング５で構成し且つカサ型吐出ケーシング５の中央にヘッドカバー６（６１，６５）を設置することで、カサ型吐出ケーシング５の吐出口５ａを円周状に形成する。ヘッドカバーの一部を可動部６５として上下方向に可動式とすることでカサ型吐出ケーシング５の吐出口５ａを開閉するバルブ機構とする。【選択図】      図１
2004293516.tif 000002
【特許請求の範囲】
【請求項１】
ポンプケーシングの吐出部に、自圧水又は外部動力により開閉するバルブ機構を設置したことを特徴とするバルブ一体型ポンプ。
【請求項２】
立軸ポンプの吐出ケーシングを上方向に向かってその内径が広がるように開く形状の吐出ケーシング、又は上方向に向かって開口する形状の吐出ケーシングで構成し、この吐出ケーシングの吐出部にバルブ機構を設置したことを特徴とするバルブ一体型ポンプ。
【請求項３】
前記吐出ケーシングの中央にヘッドカバーを設置することで、吐出ケーシングの吐出部を円周状に形成したことを特徴とする請求項２に記載のバルブ一体型ポンプ。
【請求項４】
前記バルブ機構は、ヘッドカバーの一部を上下方向に可動式とすることで前記吐出部を開閉する構造に構成されていることを特徴とする請求項３に記載のバルブ一体型ポンプ。
【請求項５】
請求項１乃至４の内の何れか１項に記載のバルブ一体型ポンプにおいて、前記吐出部は、全周方向又は任意の一定方向に向いて開口する形状に構成されていることを特徴とするバルブ一体型ポンプ。
【請求項６】
請求項１又は２に記載のバルブ一体型ポンプにおいて、
前記バルブ機構は、前記吐出部を自圧水又は外部動力により開閉するフラップ弁によって構成されていることを特徴とするバルブ一体型ポンプ。
【発明の詳細な説明】
【０００１】
【発明の属する技術分野】
本発明は、バルブ一体型ポンプに関する。
【０００２】
【従来の技術】
従来、河川のポンプ機場等には、排水のために立軸ポンプが設置される。図５はこの種の立軸ポンプ１００を複数台設置したポンプ機場（排水機場）２００の一例を示す図であり、図５（ａ）はその平面図、図５（ｂ）は側面図である。同図に示すようにこのポンプ機場２００は河川等の水路２５０近傍に敷設され、複数台（図では三台）の立軸ポンプ１００を並列に設置することで構成されている。
【０００３】
各立軸ポンプ１００は吸込ベルマウス１０２や吊り下げ管１０６や吐出ケーシング１０３等からなるポンプケーシングを具備し、このポンプケーシング内に図示しない羽根車を取り付けたシャフトを収納して構成されている。シャフトの上部は吐出ケーシング１０３の上部から突出し、変速機１０８を介して原動機１０９に連結されている。また各立軸ポンプ１００の吐出ケーシング１０３にはさらに吐出側の配管１０１を接続することで、配管１０１の放流端を吐出水槽１１０に接続している。配管１０１の途中には吐出水槽１１０の水が立軸ポンプ１００に逆流しないように止水弁１０４を設け、さらに配管１０１の放流端には逆止弁１０５を取り付けている。
【０００４】
そして原動機１０９を駆動すれば、ポンプケーシング内の羽根車が回転し、水路２５０から分岐した流入水路２５１内の水が吸込ベルマウス１０２から吸い込まれ、吸い込まれた液体は吐出ケーシング１０３から吐出側の配管１０１を通って吐出水槽１１０内へ吐出される。
【０００５】
しかしながら図５に示すポンプ機場２００のように立軸ポンプ１００を複数台設置する場合、各立軸ポンプ１００毎に吐出側の配管１０１を設ける必要がある。そしてこの場合、各立軸ポンプ１００と吐出側の配管１０１とが交錯しないようにするため、並列に設置した立軸ポンプ１００それぞれに対して流入水路２５１と吐出水槽１１０とを直線状に配置する必要があり、このため水路２５０から分岐する流入水路２５１と吐出水槽１１０の幅を大きく取る必要があり、これら流入水路２５１や吐出水槽１１０の配置分だけポンプ機場２００の設置面積が大きくなってしまうという問題があった。
【０００６】
【発明が解決しようとする課題】
本発明は上述の点に鑑みてなされたものでありその目的は、複数のポンプの設置レイアウトが行い易くて、その設置面積が小さくてすむバルブ一体型ポンプを提供することにある。
【０００７】
【課題を解決するための手段】
上記問題点を解決するため本願の請求項１にかかる発明は、ポンプケーシングの吐出部に、自圧水又は外部動力により開閉するバルブ機構を設置したことを特徴とするバルブ一体型ポンプである。
ポンプケーシングの吐出部にバルブ機構を設置したので、このポンプとは別置きの止水弁や逆止弁等の弁類、及びこれら弁類設置のためにポンプに接続する吐出側の配管が不要となる。ここで自圧水とは、ポンプケーシング内を流れ該ポンプケーシングの吐出部から吐出される圧力を持った水のことをいう。
【０００８】
また本願の請求項２にかかる発明は、立軸ポンプの吐出ケーシングを上方向に向かってその内径が広がるように開く形状の吐出ケーシング、又は上方向に向かって開口する形状の吐出ケーシングで構成し、この吐出ケーシングの吐出部にバルブ機構を設置したことを特徴とするバルブ一体型ポンプである。
このような構造の吐出ケーシングの吐出部にバルブ機構を設置したので、このポンプとは別置きの止水弁や逆止弁等の弁類、及びこれら弁類設置のためにポンプに接続する吐出側の配管が不要となる。従って複数のポンプを設置する場合でも、各吐出ケーシングから吐出された吐出水は、一つの吐出水路に直接接続するだけで良くなる。このため複数のポンプを併設する施設（例えばポンプ機場）におけるポンプの設置面積の削減が可能となる。
【０００９】
また本願の請求項３に記載の発明は、前記吐出ケーシングの中央にヘッドカバーを設置することで、吐出ケーシングの吐出部を円周状に形成したことを特徴とする請求項２に記載のバルブ一体型ポンプである。
吐出ケーシングの中央にヘッドカバーを設置することで、吐出ケーシングの吐出部を容易に円周状に形成できる。
【００１０】
また本願の請求項４にかかる発明は、前記バルブ機構は、ヘッドカバーの一部を上下方向に可動式とすることで前記吐出部を開閉する構造に構成されていることを特徴とする請求項３に記載のバルブ一体型ポンプである。
ヘッドカバーの一部を用いてポンプと一体のバルブ機構が構成できるので、その小型化が図れる。
【００１１】
また本願の請求項５にかかる発明は、請求項１乃至４の内の何れか１項に記載のバルブ一体型ポンプにおいて、前記吐出部は、全周方向又は任意の一定方向に向いて開口する形状に構成されていることを特徴とするバルブ一体型ポンプである。
このように構成することで、この吐出部に接続する吐出水路の向きを自由に設計することが可能になり、これによってポンプ機場の設置面積を小さくすることができるとともに、ポンプ機場の設置レイアウトの自由度が広がる。任意の一定方向は、任意の複数方向であることが好ましい。
【００１２】
また本願の請求項６にかかる発明は、請求項１又は２に記載のバルブ一体型ポンプにおいて、前記バルブ機構は、前記吐出部を自圧水又は外部動力により開閉するフラップ弁によって構成されていることを特徴とするバルブ一体型ポンプである。外部動力としては、例えばモータ、油圧、空気圧等を用いる。
【００１３】
【発明の実施の形態】
以下、本発明の実施の形態を図面を参照して詳細に説明する。図１は本発明の一実施の形態にかかるバルブ一体型ポンプ１の概略断面図である。同図に示すようにこのバルブ一体型ポンプ１は立軸ポンプ（即ちバルブ一体型立軸ポンプ）であり、吐出ボウル３の上下にカサ型吐出ケーシング５と吸込ベルマウス２を取り付けて構成されるポンプケーシングの内部に、図示しない駆動手段により回転駆動されるシャフト１３及びこのシャフト１３に取り付けた羽根車４を収納して構成されている。カサ型吐出ケーシング５は水密構造の下部架台８に固定され、また支柱１０によって下部架台８の上部に水密構造の上部架台９が設置され、これら下部架台８と上部架台９との間に水路１１が形成されている。
【００１４】
カサ型吐出ケーシング（吐出ケーシング）５は筒状であり、その下端は吐出ボウル３の上端と連結する寸法に形成され、且つ上方向に向かってその内径が次第に広がるように開く形状、即ちカサ型に形成されている。
【００１５】
カサ型吐出ケーシング５の中央にはヘッドカバー６（６１，６５）が設置されている。ヘッドカバー６は中央の固定部６１とその外周側（上部側）の可動部６５とによって構成され、全体として筒状であって、その中央にシャフト１３を挿通するとともに、その下端から上方に向かって次第に開いていく（径を大きくしていく）形状に形成され、これによって前記カサ型吐出ケーシング５との間の隙間に吐出部５ａを形成している。固定部６１はその内部にシャフト１３を支持する支持部６１ａを有している。一方可動部６５は上方に向かって径を大きくしていくカサ状本体部６５ａと、カサ状本体部６５ａの内周側下端辺から上方向に向かって円筒状に突出する支持部６５ｂと、支持部６５ｂの上端辺から水平方向内側に向かって突出する連結部６５ｃとを具備して構成されている。連結部６５ｃにはねじ穴６５ｄが設けられ、このねじ穴６５ｄには上部架台９に固定された駆動モータ（駆動機）Ｍによって回転駆動されるねじ棒７が螺合されている。そしてこのねじ棒７が駆動モータＭによって回転駆動されると可動部６５が上下動し、可動部６５が図に実線で示すように上端に移動したときはカサ状本体部６５ａとカサ型吐出ケーシング５の間に吐出部５ａが開口し、一方可動部６５が図に点線で示すように下端に移動したときはカサ状本体部６５ａ及び支持部６５ｂが吐出部５ａを塞いでこれを閉鎖する。即ちヘッドカバー６の一部である可動部６５を上下方向に可動するように構成することで、吐出部５ａを開閉して逆止弁、止水弁の機能を有するバルブ機構を構成している。このようにヘッドカバー６の一部である可動部６５を用いてバルブ一体型ポンプ１と一体のバルブ機構を構成しているので、バルブ一体型ポンプ１の小型化が図れる。
【００１６】
次にこのバルブ一体型ポンプ１を駆動するには、まず駆動モータＭによって可動部６５を上昇して吐出部５ａを開いた状態で図示しない駆動手段を駆動することでシャフト１３及び羽根車４を回転駆動し、これによって吸込ベルマウス２の吸込口２ａから吸い込まれた水は吐出ケーシング５の吐出部５ａから吐き出され、上部架台９と下部架台８の間に形成される水路１１に導出される。ここでこのバルブ一体型ポンプ１においては前記吐出ケーシング５とヘッドカバー６とによって吐出部５ａは全周方向に向いて開口する形状に構成されている。このためこのバルブ一体型ポンプ１を駆動した場合、吐出ケーシング５の全周から水が吐出される。なお可動部６５の位置を調整することで吐出部５ａの開口量を調整して水の吐出量を制御することも可能となる。
【００１７】
一方このバルブ一体型ポンプ１を停止する場合は、図示しない駆動手段を停止してシャフト１３及び羽根車４の回転を停止するとともに、駆動モータＭによって可動部６５を下降して吐出部５ａを閉じることで水の流れを遮断し、水路１１側に吐出した水の逆流を防止する。
【００１８】
なお上記実施の形態では吐出部５ａの形状を、全周方向に向いて開口する形状に構成したが、その代わりに任意の一定方向に向いて開口する形状に構成してもよい。
【００１９】
図２はこのバルブ一体型ポンプ１を用いて構成したポンプ機場（排水機場）８０の一例を示す図であり、図２（ａ）は平面図、図２（ｂ）は側面図である。同図に示すようにこのポンプ機場８０は河川等の水路２０に隣接して敷設され、複数台（図では三台）のバルブ一体型ポンプ１を水路２０の上流から下流に向けて水路２０と並列に設置することで構成されている。これら三台のバルブ一体型ポンプ１の下部には一つの吸水槽３０が設置され、吸水槽３０には上流から下流に向けて水路２０の側壁に直接設けた三つの取水口３１から水路２０の流れと直角方向に向けて水路２０の水が取り込まれるように構成されている。
【００２０】
一方三台のバルブ一体型ポンプ１の吐出側は、各バルブ一体型ポンプ１の水路１１を土木構造により一本の吐出水路４０として連結するとともに、この吐出水路４０の下流側の一端に吐出水槽５０を接続し、さらに吐出水槽５０から吐出樋管５５を介して、例えばこの水路２０が合流する別の河川等に接続される。なお１５はバルブ一体型ポンプ１を駆動する原動機（駆動手段）、１６は原動機１５とシャフト１３（図１参照）間に連結される減速機、１７は機側操作制御盤、１８は簡易上屋、１９は切換ゲートである。
【００２１】
そして例えばこの水路２０が合流する別の河川等が増水して水路２０に逆流の恐れがあるような場合は、合流する河川等と水路２０間を図示しないゲートで遮断し、同時に必要に応じた台数のバルブ一体型ポンプ１を駆動して水路２０に流れる水を吸水槽３０から吐出水路４０に揚水して吐出水槽５０、吐出樋管５５を介して合流する河川等に強制排水する。
【００２２】
ところで本実施の形態においては、バルブ一体型ポンプ１自体にバルブ機構を設けたので、前記図５に示す従来例のように立軸ポンプ１００とは別置きの止水弁１０４や逆止弁１０５等の弁類、及びこれら弁類設置のために各立軸ポンプ１００に接続する吐出側の配管１０１が不要となり、これら配管１０１の設置レイアウトによる制約が無くなり、複数のバルブ一体型ポンプ１を設置する場合でも、各吐出部５ａから吐出された吐出水は、一つの吐出水路４０に直接接続するだけで良くなる。このため図２に示すポンプ機場８０のように複数のバルブ一体型ポンプ１を併設する施設におけるバルブ一体型ポンプ１の設置面積の削減が可能となる。また図２に示すように水路２０から直角方向にポンプ機場８０への取水を行う場合でも、吐出水槽５０を水路２０に近づけて設置することが可能となり、吐出樋管５５の長さを短くすることができ、この点からもポンプ機場８０のスペースの縮減が可能となる。
【００２３】
特にこの実施の形態にかかるバルブ一体型ポンプ１のように吐出部５ａを全周方向に向けて開口する形状（又は任意の一定方向に向いて開口する形状）に構成すれば、これに接続する吐出水路４０の向きをどの方向にも自由に設計することが可能になり、これによってもポンプ機場８０の設置面積を小さくすることができるとともに、ポンプ機場８０の設置レイアウトの自由度が広がる。
【００２４】
図３，図４はそれぞれ本発明の他の構成にかかるヘッドカバーの可動部６５−２，６５−３の部分及びその動作を示す要部拡大断面図である。即ち前記図１に示す可動部６５は吐出部５ａの開動作と閉動作の両方に駆動モータＭの駆動力を用いるタイプであるが、図３に示す可動部６５−２は閉動作の際のみに駆動モータＭの駆動力を用いるタイプであり、図４に示す可動部６５−３は駆動モータＭを全く用いないで吐出部５ａを開閉するタイプである。
【００２５】
即ち図３に示す可動部６５−２は、支持部６５−２ｂの内周側に凸状の係止部６５−２ｃが設けられ、この係止部６５−２ｃの上面にねじ棒７に螺合された押下部材１２の下端を対向設置して構成されている。そして可動部６５−２により吐出部５ａの閉動作を行うときは、図３（ａ）に示すように駆動モータＭを駆動してねじ棒７を回転することにより押下部材１２を下方に移動してその下端を係止部６５−２ｃの上面に当接して可動部６５−２を押し下げ、吐出部５ａを塞ぐ。吐出部５ａを開とする際は図３（ｂ）に示すように駆動モータＭを駆動してねじ棒７を逆回転することにより押下部材１２を所定高さまで上昇して係止部６５−２ｃとの当接を外しておく。そしてポンプが駆動されて吐出ケーシング５内に水が揚水されてくると、図３（ｃ）に示すように吐出ケーシング５内に揚水されてきた水の圧力により係止部６５−２ｃの上面が押下部材１２の下端に当接する位置まで可動部６５−２が押し上げられることで吐出部５ａが自動的に開く。
【００２６】
また、図４に示す可動部６５−３は、駆動モータＭを設置せず、ヘッドカバー６５−３を上下動自在に取り付けただけの構成となっている。そして図４（ａ）に示すように、水が吐出ケーシング５に揚水されていない場合は可動部６５−３はその自重により下端まで降下することで吐出部５ａを塞いで閉としている。一方図４（ｂ）に示すようにポンプが駆動されて吐出ケーシング５内に水が揚水されてくると、この揚水された水の圧力により可動部６５−３が押し上げられることで吐出部５ａが自動的に開く。
【００２７】
次に、このバルブ一体型ポンプ１−２を水中モータポンプに適用した場合の実施の形態を図６に示す。図６において図１に示すバルブ一体型ポンプ１と対応する部分には同一の符号を付しその詳細な説明は省略する。図６に示すバルブ一体型ポンプ１−２はバルブ一体型ポンプ１と同様、吐出ケーシングをカサ型吐出ケーシング５とし、該カサ型吐出ケーシング５の中央にはヘッドカバー６（６１，６５）が設置されている。そしてヘッドカバー６の固定部６１の上部に水中モータ７１が取り付けられており、該水中モータ７１がシャフト１３を駆動する構成となっている。
【００２８】
このバルブ一体型ポンプ１−２は、ポンプコラム７３の底部７３ｂにカサ型吐出ケーシング５を取り付けることで、吸込ベルマウス２の吸込口２ａが吸水槽３０内に位置するとともに、吐出部５ａがポンプコラム７３内部に位置する状態で設置されている。このポンプコラム７３は吐出水路７５の底部７２に吊下げて固定された筒状の側壁７３ａの下端に底部７３ｂを連結して構成されており、上面が吐出水路７５に開口している。なお、７６はメンテナンスハッチである。
【００２９】
このバルブ一体型ポンプ１−２を動作させるには、水中モータ７１を駆動させることでシャフト１３及びそれに取り付けられた羽根車４を回転させ、吸込ベルマウス２の吸込口２ａから吸水槽３０内の水を吸込む。そして吸込んだ水を吐出部５ａからポンプコラム７３内に吐出することで吐出水を吐出水面７４の高さまで押し上げる。一方、このバルブ一体型ポンプ１−２を停止させるには、水中モータ７１を停止させることでシャフト１３及び羽根車４の回転を停止させるとともに、ヘッドカバー６の可動部６５を下降して吐出部５ａを閉じることにより水の流れを遮断する。これによりポンプコラム７３内に吐出した水がポンプケーシング内に逆流するのを防止する。このヘッドカバー６の形状及び動作は前述したバルブ一体型ポンプ１と同様なので詳細な説明は省略する。このようにコラム型水中モータポンプの吐出部にバルブ機構を設けることにより、別途吐出配管を取り付ける必要がなくなる。
【００３０】
図７に本発明の他の実施の形態にかかるバルブ一体型ポンプ１−３を示す。この図７に示すバルブ一体型ポンプ１−３はポンプケーシングの吐出部５ａに開閉弁（フラップ弁）８３を取り付けることでバルブ機構を構成している。具体的には、吸込ベルマウス２、吐出ボウル３、吐出ケーシング５等からなるポンプケーシングを具備し、このポンプケーシング内にシャフト１３に取り付けた羽根車４を収納して構成されている。シャフト１３は減速機８１に取り付けられ、該減速機８１には別のシャフト８２が取り付けられ、該シャフト８２はさらに図示しない駆動手段に接続されている。
【００３１】
そして、このバルブ一体型ポンプ１−３の吐出ケーシング５は８つ（他の複数個でも良い）の円周状に均等に配置された吐出部５ａが吐出水槽８４に向かって開口している。それらの吐出部５ａには各吐出部５ａを塞ぐ形状の開閉弁８３がヒンジ部８３ａにより開閉自在に取り付けられている。この開閉弁８３は吐出ケーシング５を通って吐出部５ａから吐出される自圧水の圧力により開閉するか、あるいは外部動力により開閉動作を行う構成となっている。この開閉弁８３により吐出部５ａのバルブ機構が構成される。なお吐出部５ａは任意の複数方向に向かって開口する形状であれば、どのような形状でも良い。
【００３２】
このバルブ一体型ポンプ１−３を動作させるには、図示しない駆動手段を駆動させることでシャフト８２が回転し、減速機８１を介してシャフト１３及び羽根車４が回転する。これにより、吸込ベルマウス２の吸込口２ａから吸水槽３０内の水がポンプケーシング内に吸込まれ、吐出ケーシング５の各吐出部５ａから吐出水槽８４内に吐出される。一方、このバルブ一体型ポンプ１−３を停止させるには、前記駆動手段を停止させることでシャフト１３及び羽根車４の回転を停止させるとともに、開閉弁８３を閉じることで吐出口５ａを塞ぎ水の逆流を防止する。このように、吐出部５ａに一体に取り付けられた開閉弁８３が止水弁、逆止弁の働きをする。したがって、ポンプとは別置きの止水弁や逆止弁等の弁類、あるいはこれら弁類を設置するためにポンプに接続する吐出側の配管が不要となる。
【００３３】
図８は本発明のさらに他の実施の形態にかかるバルブ一体型ポンプ１−４を示す概略断面図である。図８に示すバルブ一体型ポンプ１−４も前記バルブ一体型ポンプ１−３と同様に、ポンプケーシングの吐出部５ａに開閉弁（フラップ弁）８３を取り付けることでバルブ機構を構成している。具体的には、吸込ベルマウス２、吐出ボウル３、吊り下げ管９０、吐出ケーシング５等からなるポンプケーシングを具備し、このポンプケーシング内にシャフト１３に取り付けた羽根車４を収納して構成されている。シャフト１３は減速機８１に取り付けられ、該減速機８１には別のシャフト８２が取り付けられ、該シャフト８２はさらに図示しない駆動手段に接続されている。
【００３４】
そして、このバルブ一体型ポンプ１−４の吐出ケーシング５は８つ（他の複数個でも良い）の円周状に均等に配置された吐出部５ａが吐出水路４０に向かって開口している。それらの吐出部５ａには各吐出部５ａを塞ぐ形状の開閉弁８３がヒンジ部８３ａにより開閉自在に取り付けられている。この開閉弁８３は吐出ケーシング５を通って吐出部５ａから吐出される自圧水の圧力により開閉するか、あるいは外部動力により開閉動作を行う構成となっている。この開閉弁８３により吐出部５ａのバルブ機構が構成される。なお吐出部５ａは任意の複数方向に向かって開口する形状であれば、どのような形状でも良い。
【００３５】
このバルブ一体型ポンプ１−４を動作させるには、図示しない駆動手段を駆動させることでシャフト８２を回転し、減速機８１を介してシャフト１３及び羽根車４を回転する。これにより、吸込ベルマウス２の吸込口２ａから吸水槽３０内の水がポンプケーシング内に吸込まれ、吐出ケーシング５の各吐出部５ａから吐出水路４０内に吐出される。一方、このバルブ一体型ポンプ１−４を停止させるには、前記駆動手段を停止させることでシャフト１３及び羽根車４の回転を停止させるとともに、開閉弁８３を閉じることで吐出口５ａを塞ぎ水の逆流を防止する。このように、吐出部５ａに一体に取り付けられた開閉弁８３が止水弁、逆止弁の働きをする。したがって、ポンプとは別置きの止水弁や逆止弁等の弁類、あるいはこれら弁類を設置するためにポンプに接続する吐出側の配管が不要となる。
【００３６】
図９は本発明のさらに他の実施の形態にかかるバルブ一体型ポンプ１−５を示す図であり、図９（ａ）は概略断面図、図９（ｂ）は図９（ａ）のＤ−Ｄ概略矢視図である。図９に示すバルブ一体型ポンプ１−５においても、ポンプケーシングの吐出部５ａに開閉弁（フラップ弁）８３を取り付けることでバルブ機構を構成している。具体的には、吸込ベルマウス２、吐出ボウル３、吊り下げ管９０、吐出ケーシング５等からなるポンプケーシングを具備し、このポンプケーシング内にシャフト１３に取り付けた羽根車４を収納して構成されている。シャフト１３は減速機８１に取り付けられ、該減速機８１には別のシャフト８２が取り付けられ、該シャフト８２はさらに図示しない駆動手段に接続されている。
【００３７】
そしてこのバルブ一体型ポンプ１−５の場合、吐出ケーシング５は筒状であってその吐出部５ａは上方向に向かって開口する形状に構成されている。つまり吐出部５ａは上向きとなっている。また吐出部５ａは左右二箇所の対称な位置に設けられている。これら吐出部５ａには吐出部５ａを塞ぐ形状の開閉弁８３がヒンジ部８３ａにより開閉自在に取り付けられており、ヒンジ部８３ａに固定された連結棒８３ｂと駆動部８３ｃ間をリンク機構８３ｄによって連結し、駆動部８３ｃを駆動することでリンク機構８３ｄを介して連結棒８３ｂを回動して開閉弁８３を開閉するように構成している。駆動部８３ｃとしては、例えばモータ、油圧駆動装置、空気圧駆動装置等が用いられる。この開閉弁８３により吐出部５ａのバルブ機構が構成される。
【００３８】
このバルブ一体型ポンプ１−５を動作させるには、図示しない駆動手段を駆動させることでシャフト８２を回転し、減速機８１を介してシャフト１３及び羽根車４を回転し、同時に駆動部８３ｃを駆動することで開閉弁８３を開く。これにより、吸込ベルマウス２の吸込口２ａから吸水槽３０内の水がポンプケーシング内に吸込まれ、吐出ケーシング５の吐出部５ａから吐出水路４０内に吐出される。一方、このバルブ一体型ポンプ１−５を停止させるには、前記駆動手段を停止させることでシャフト１３及び羽根車４の回転を停止させるとともに、駆動部８３ｃを駆動することで開閉弁８３を閉じ、吐出口５ａを塞ぎ水の逆流を防止する。このように、吐出部５ａに一体に取り付けられた開閉弁８３が止水弁、逆止弁の働きをする。したがって、ポンプとは別置きの止水弁や逆止弁等の弁類、あるいはこれら弁類を設置するためにポンプに接続する吐出側の配管が不要となる。
【００３９】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造であっても、本願発明の作用・効果を奏する以上、本願発明の技術的思想の範囲内である。例えば上記実施の形態ではヘッドカバー６の一部である可動部６５（６５−２，３）を上下方向に可動するように構成することで、吐出部５ａを開閉して逆止弁、止水弁の機能を有するバルブ機構を構成したが、ヘッドカバー６の一部を用いず、ヘッドカバー６の吐出側に別途バルブ機構を設置しても良い。また可動部６５の形状も上記のものに限定されず、吐出部５ａの開閉機能を具備するものであればどのような形状であってもよい。またカサ型吐出ケーシング５の吐出部５ａは全周方向に向いて開口する構造のみならず、全周囲方向の内の所定の円周方向を向くように構成しても良い。
【００４０】
【発明の効果】
以上詳細に説明したように本発明にかかるバルブ一体型ポンプによれば、複数のポンプの設置レイアウトが行い易くて、その設置面積が小さくてすむ。
【図面の簡単な説明】
【図１】本発明の一実施の形態にかかるバルブ一体型ポンプ１の概略断面図である。
【図２】バルブ一体型ポンプ１を用いて構成したポンプ機場（排水機場）８０の一例を示す図であり、図２（ａ）は平面図、図２（ｂ）は側面図である。
【図３】本発明の他の構成にかかる可動部６５−２の部分及びその動作を示す要部拡大断面図である。
【図４】本発明の他の構成にかかる可動部６５−３の部分及びその動作を示す要部拡大断面図である。
【図５】従来の立軸ポンプ１００を複数台設置したポンプ機場２００の一例を示す図であり、図５（ａ）はその平面図、図５（ｂ）は側面図である。
【図６】本発明のバルブ一体型ポンプを水中モータポンプに適用した場合の実施の形態を示す図である。
【図７】本発明の他の実施の形態にかかるバルブ一体型ポンプ１−３の概略断面図である。
【図８】本発明のさらに他の実施の形態にかかるバルブ一体型ポンプ１−４を示す概略断面図である。
【図９】本発明のさらに他の実施の形態にかかるバルブ一体型ポンプ１−５を示す図であり、図９（ａ）は概略断面図、図９（ｂ）は図９（ａ）のＤ−Ｄ概略矢視図である。
【符号の説明】
１    バルブ一体型ポンプ
１−２    バルブ一体型ポンプ
１−３    バルブ一体型ポンプ
１−４    バルブ一体型ポンプ
１−５    バルブ一体型ポンプ
２    吸込ベルマウス
３    吐出ボウル
４    羽根車
５    カサ型吐出ケーシング（又は吐出ケーシング）
５ａ  吐出部
６    ヘッドカバー
６１  固定部
６５  可動部
７    ねじ棒
８    下部架台
９    上部架台
１０  支柱
１１  水路
１２  押下部材
１３  シャフト
１５  原動機
１６  減速機
１７  機側操作制御盤
１８  簡易上屋
１９  切換えゲート
２０  水路
３０  吸水槽
３１  取水口
４０  吐出水路
５０  吐出水槽
５５  吐出樋管
７１  水中モータ
７２  （吐出水路の）底部
７３  ポンプコラム
７４  吐出水面
７５  吐出水路
７６  メンテナンスハッチ
８０  ポンプ機場
８１  減速機
８２  シャフト
８３  開閉弁
８４  吐出水槽
６５−２  可動部
６５−３  可動部
【図１】
2004293516.tif 000003
【図２】
2004293516.tif 000004
【図３】
2004293516.tif 000005
【図４】
2004293516.tif 000006
【図５】
2004293516.tif 000007
【図６】
2004293516.tif 000008
【図７】
2004293516.tif 000009
【図８】
2004293516.tif 000010
【図９】
2004293516.tif 000011